(57)【要約】      （修正有）【課題】水鉄砲の水流制御構造及びその封止バルブジョイントを提供する。【解決手段】前述の封止バルブジョイント３０は接合部３１、スプリング３５、封止バルブ３６及びシールリング３７が組み合わせられる複合式の覆設部材であり、前記接合部により前記水鉄砲のハンドル部２０の水路軸管２３の組み立て部２６に組み合わせられる。前記接合部が前記水路軸管の組み立て部に組み合わせられると同時に封止バルブも水路軸管に設定される。換言すれば、本考案の封止バルブジョイントは、一回の装設動作で接合部及び封止バルブが所定の位置にそれぞれ設定される目的を達成させる。【選択図】図３
0003205045.tif 000002
【実用新案登録請求の範囲】
【請求項１】
一体に接合されるパイプ接合部及び連接部を備える接合部であって、前記パイプ接合部には水源から導水するためのホースが連結され、前記連接部はスプリング及び封止バルブを収容するために用いられる充填空間を有し、前記連接部の内壁は段差を有し、前記段差により前記スプリングの第一端が支持され、前記スプリングの第二端は前記封止バルブのピン継手部の外に被装されると共に前記封止バルブの環状部の底面に当接され、前記封止バルブの環状部の上面は縮径されて上に向けて弁棒が延伸され、前記弁棒は前記接合部の連接部から延出されることを特徴とする水鉄砲の封止バルブジョイント。
【請求項２】
前記弁棒は錐形端を有する十字型シャフト部材である、ことを特徴とする請求項１に記載の水鉄砲の封止バルブジョイント。
【請求項３】
前記環状部は凹凸のある円周面を有する環状構造である、ことを特徴とする請求項１に記載の水鉄砲の封止バルブジョイント。
【請求項４】
前記連接部の外表面には係止溝が周設される、ことを特徴とする請求項１に記載の水鉄砲の封止バルブジョイント。
【請求項５】
シールリングを更に備え、前記シールリングは中心穴が前記弁棒の外に被装され、前記シールリングの周面は前記連接部の縁端に接触される、ことを特徴とする請求項１に記載の水鉄砲の封止バルブジョイント。
【請求項６】
水鉄砲のハンドル部に内設され、且つ内部が相互に連通される直管部と、横方向パイプと、組み立て部とを有する水路軸管と、
接合部、スプリング、封止バルブ、及びシールリングで構成される封止バルブジョイントと、を有する水鉄砲の水流制御構造であって、
前記接合部は一体に接合されるパイプ接合部及び連接部を含み、前記パイプ接合部には水源から導水するためのホースが連結され、前記連接部は前記スプリング及び前記封止バルブを収容するために用いられる充填空間を有し、前記スプリングの第一端は前記連接部の内壁の段差に支持され、前記スプリングの第二端は前記封止バルブのピン継手部の外に被装されると共に前記封止バルブの環状部の底面に当接され、前記封止バルブの環状部は上に向けて縮径する弁棒が延伸され、前記シールリングは中心穴が前記弁棒の外に被装され、前記シールリングの周面は前記連接部の縁端に接触され、前記接合部の連接部は前記水路軸管の組み立て部中に組み合わせるように固定され、前記シールリングは前記組み立て部及び前記直管部の接合箇所に位置され、前記弁棒は前記直管部に穿通され、
前記水鉄砲の水流制御構造は、更に、前記水路軸管の横方向パイプ中に往復移動するように設置され、スプリング部材により支持されることで前記弁棒の端部と互いに接触される原位置に保持される横方向タッチ部材を備える、ことを特徴とする水鉄砲の水流制御構造。
【請求項７】
前記水路軸管の組み立て部の外側壁には環状溝部が設けられ、前記環状溝部の溝底には前記組み立て部の側壁を貫通させる複数の係合孔が設けられ、前記接合部の連接部の外側壁には係止溝が周設され、Ｃ形バックル部材は前記組み立て部の環状溝部に係合され、前記バックル部材の内周面には前記係合孔にそれぞれ延入されると共に前記連接部の係止溝に係止される複数の凸部を有することを特徴とする、請求項６に記載の水鉄砲の水流制御構造。
【請求項８】
前記接合部の外部は前記パイプ接合部と前記連接部との間に延伸板を有し、前記延伸板及び前記組み立て部の対応部位には対応して結合される回転限定部材がそれぞれ設置されることを特徴とする、請求項６に記載の水鉄砲の水流制御構造。
【請求項９】
前記回転限定部材は前記延伸板の板面に設置される凸部材及び前記組み立て部の対応部位に設置される凹溝であることを特徴とする、請求項８に記載の水鉄砲の水流制御構造。
【請求項１０】
前記弁棒は錐形端を有する十字型シャフト部材であり、前記環状部は凹凸のある円周面を有する環状構造であることを特徴とする、請求項６に記載の水鉄砲の水流制御構造。
【考案の詳細な説明】
【技術分野】
【０００１】
本考案は、水鉄砲のハンドル部の水流制御構造及びその封止バルブジョイントに関する。
【背景技術】
【０００２】
図１は従来の水鉄砲の水流制御構造図であり、水鉄砲１０のハンドル部１１の内側に装設される押圧ユニット１２と、前記ハンドル部１１の水路１３に内設される封止バルブ１４と、前記ハンドル部１１の末端に装設される管部材ジョイント１５とを備える。前記封止バルブ１４はシャフト部材１４２がスプリング１４１により支持されると共に前記水路１３の弁１３１に制限され、前記シャフト部材１４２の軸心方向は前記水路１３の軸心方向に平行し、前記シャフト部材１４２は上に向けられるテーパ状部１４３により前記押圧ユニット１２の横方向タッチ部材１２１に対応するように接触され、前記横方向タッチ部材１２１はスプリング１２２により支持されて前記シャフト部材１４２と互いに接触する原位置に保持される。前記押圧ユニット１２の押圧部材１２３により前記横方向タッチ部材１２１が制御されて前記原位置から押圧位置まで移動され、前記横方向タッチ部材１２１により前記シャフト部材１４２が押動されて前記水路１３の弁１３１から脱離される。水は水管を経由して前記管部材ジョイント１５を通過させて前記水路１３中に進入し、且つ水鉄砲１０の本体１６から噴出される。
【考案の概要】
【考案が解決しようとする課題】
【０００３】
しかしながら、上述の水流制御構造の欠点は、封止バルブ１４の装設であり、封止バルブ１４が水路１３内部の中段に接近する位置に位置されるため、装設する者にとっては、その位置が隠されるようになっているため、シャフト部材１４２の位置、角度及び弁１３１との閉合程度を視覚的に判断できず、装設が困難になり、且つ欠陥率が高くなった。また、封止バルブ１４及び管部材ジョイント１５は２つの別々に独立した部材であるため、装設する部材の数量が増加した。先に封止バルブ１４を装設した後に管部材ジョイント１５を装設するため、装設工程、時間及びコストも増加した。そこで、本考案者は上記の欠点が改善可能と考え、鋭意検討を重ねた結果、合理的設計で上記の課題を効果的に改善する本考案の提案に到った。
【０００４】
本考案は、このような従来の問題に鑑みてなされたものである。上記課題解決のため、本考案は、水鉄砲の水流制御構造及びその封止バルブジョイントを提供することを主目的とする。すなわち、従来の封止バルブでは装設が困難であり、封止バルブ及び管部材ジョイントを別々に装設させねばならないため、装設工程が多くなるという問題を解決させる。
【課題を解決するための手段】
【０００５】
上述した課題を解決し、目的を達成するために、本考案に係る水鉄砲封止バルブジョイントは、一体に接合されるパイプ接合部及び連接部を含む接合部を備え、前記パイプ接合部には水源から導水するためのホースが連結される。前記連接部はスプリング及び封止バルブを収容するために用いられる充填空間を有する。前記連接部の内壁は段差を有し、前記段差により前記スプリングの第一端が支持され、前記スプリングの第二端は前記封止バルブのピン継手部の外に被装されると共に前記封止バルブの環状部の底面に当接され、前記封止バルブの環状部の上面は縮径されて上に向けて弁棒が延伸され、前記弁棒は前記接合部の連接部から延出される。
【０００６】
上述した目的を達成するための水鉄砲の水流制御構造は、水鉄砲のハンドル部に内設され、且つ内部が相互に連通される直管部と、横方向パイプと、組み立て部とを有する水路軸管と、
接合部、スプリング、封止バルブ、及びシールリングで構成される封止バルブジョイントと、を有する水鉄砲の水流制御構造であって、
前記接合部は一体に接合されるパイプ接合部及び連接部を含み、前記パイプ接合部には水源から導水するためのホースが連結され、前記連接部は前記スプリング及び前記封止バルブを収容するために用いられる充填空間を有し、前記スプリングの第一端は前記連接部の内壁の段差に支持され、前記スプリングの第二端は前記封止バルブのピン継手部の外に被装されると共に前記封止バルブの環状部の底面に当接され、前記封止バルブの環状部は上に向けて縮径する弁棒が延伸され、前記シールリングは中心穴が前記弁棒の外に被装され、前記シールリングの周面は前記連接部の縁端に接触され、前記接合部の連接部は前記水路軸管の組み立て部中に組み合わせるように固定され、前記シールリングは前記組み立て部及び前記直管部の接合箇所に位置され、前記弁棒は前記直管部に穿通され、
前記水鉄砲の水流制御構造は、更に、前記水路軸管の横方向パイプ中に往復移動するように設置され、スプリング部材により支持されることで前記弁棒の端部と互いに接触される原位置に保持される横方向タッチ部材とを備える。
【考案の効果】
【０００７】
本考案によれば、封止バルブ及びスプリングが前記接合部の連接部中に組み合わせられ、前記接合部及び前記封止バルブが組み合わせられて１つの複合式封止バルブジョイントとなる。また、前記接合部が前記水路軸管の組み立て部に組み合わせられると同時に封止バルブが水路軸管に設定される。換言すれば、本考案の封止バルブジョイントは、一回の装設動作で接合部及び封止バルブが所定の位置にそれぞれ設定される目的を達成させる。なお、本考案は装設が簡単であるため、工程が減少し、装設に掛かる時間も短縮する。
【０００８】
さらに、本考案に係る封止バルブの位置は水路軸管の深部に設置されるのではなく、水路軸管の端部に位置されるため、設置、定位及び調整等が共に容易に実施でき、装設の瑕疵が減少し、装設の精確性が高まり、前記封止バルブによる前記水路軸管中の水流に対する開閉動作がスムーズになり、且つ反応性にも優れる。
【図面の簡単な説明】
【０００９】
【図１】従来の水鉄砲の水流制御構造の断面図である。
【図２】本考案の第１実施形態による水鉄砲の水流制御構造を示す外観斜視図である。
【図３】本考案の第１実施形態による水鉄砲の水流制御構造を示す展開図（一）である。
【図４】本考案の第１実施形態による水鉄砲の水流制御構造を示す展開図（二）である。
【図５】本考案の第１実施形態による水鉄砲の水流制御構造の組み立てを示す断面図（一）である。
【図６】本考案の第１実施形態による水鉄砲の水流制御構造の組み立てを示す断面図（二）である。
【考案を実施するための最良の形態】
【００１０】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。なお、実施形態における各種の異なる部材は明細中の比率、寸法、変形量或いは変移量に基づいて描写されており、実際の部材の比率に基づいて描写されているわけではないことを、先に説明する。また、以下の説明において、類似する部材或いは複数の同じ部材については、同じ符号を以って表示する。
[実施形態]
【００１１】
（第１実施形態）
本考案の水鉄砲は、ハンドル部２０と、前記ハンドル部２０に連結される本体部２１と、前記ハンドル部２０の外側に設置される押圧ユニット２２とを有する（図２参照）。前記ハンドル部２０は使用者が水鉄砲を把持するために使用される。前記押圧ユニット２２は使用者が押圧方式で水流を制御して噴出させるために用いられる。前記本体部２１は数種類のスプレー方式により水を噴出させる。
【００１２】
なお、前記ハンドル部２０は着脱可能な外部ケース２０１を有し、前記外部ケース２０１内には収容空間が提供され、水路軸管２３を収容するために用いられる（図３及び図４参照）。前記水路軸管２３は互いに連通される直管部２４と、横方向パイプ２５と、組み立て部２６とを有する。前記組み立て部２６は封止バルブジョイント３０の装設に用いられる。前記組み立て部２６の側壁の外には環状溝部２６１が設けられ、前記環状溝部２６１の溝底には前記組み立て部２６の側壁を貫通させる複数の係合孔２６２が設けられる。前記環状溝部２６１にはＣ形バックル部材２７が係合され、且つ前記バックル部材２７の内周面には前記係合孔２６２中に延入される複数の凸部２７１を有する。前記バックル部材２７は前記封止バルブジョイント３０を前記組み立て部２６中に固定させるために用いられる。
【００１３】
前記封止バルブジョイント３０は接合部３１と、前記接合部３１内部に装填されるスプリング３５と、前記接合部３１内部に装填されると共に前記スプリング３５により支持される封止バルブ３６と、少なくとも１つのシールリング３７とを備える。前記接合部３１はパイプ接合部３２及び連接部３３を含む。前記パイプ接合部３２には水源から導水するためのホース(図示せず)が連結され、前記連接部３３には前記スプリング３５及び封止バルブ３６を収容するために用いられる充填空間３３２が提供され、前記連接部３３の外表面には係止溝３３３が周設され、前記係止溝３３３には前記Ｃ形バックル部材２７の凸部２７１が係止される。前記封止バルブ３６は前記封止バルブ３６の第一端に成型されるピン継手部３６１と、前記封止バルブ３６の第二端に成型される弁棒３６２と、前記ピン継手部３６１と前記弁棒３６２との間に成型される拡径される環状部３６３とを備える。前記ピン継手部３６１は柱体であり、前記スプリング３５の端部が枢着される。前記弁棒３６２は錐形端を有する十字型シャフト部材である。前記環状部３６３は凹凸のある円周面を有する環状構造である。
【００１４】
さらに、前記接合部３１の外部はパイプ接合部３２と連接部３３との間に延伸板３４を有し、前記延伸板３４及び前記組み立て部２６の対応部位には回転限定部材３４１、２６３がそれぞれ設置される。図中では、前記回転限定部材３４１、２６３は前記延伸板３４の板面に設置される凸部３４１及び組み立て部２６の対応部位に設置される凹溝２６３を備え、凸部３４１及び凹溝２６３が結合されることで接合部３１が前記組み立て部２６に装設された後には勝手に回転しなくなる。
【００１５】
図５には、上述の部材が組み合わせられた後の空間の形態を具体的に図示する。前記水路軸管２３の直管部２４、横方向パイプ２５、及び組み立て部２６の内部は互いに連通される。前記接合部３１のパイプ接合部３２及び連接部３３は互いに連通される。前記スプリング３５は前記連接部３３中に位置され、その第一端は前記連接部３３の内壁の段差３３１により支持され、前記スプリング３５は前記封止バルブ３６のピン継手部３６１の外に枢着され、その第二端は前記封止バルブ３６の環状部３６３の底縁に支持される。前記組み立て部２６の底部は開口であり、前記接合部３１の連接部３３は前記開口から前記組み立て部２６内に進入し、前記シールリング３７は前記組み立て部２６及び直管部２４の接合箇所に位置され、前記接合部３１の連接部３３の縁端及び前記シールリング３７は密接に接触される。前記封止バルブ３６の弁棒３６２は前記シールリングを貫通させて前記組み立て部２６から前記直管部２４に延入され、前記封止バルブ３６の環状部３６３により前記シールリング３７の中心穴が塞がれる。前記Ｃ形バックル部材２７は外部から前記組み立て部２６の環状溝部２６１に係入され、前記Ｃ形バックル部材２７の凸部２７１は前記係合孔２６２を通過させて前記接合部３１の係止溝３３３に係止され、前記接合部３１は前記組み立て部２６中で定位される。このほか、図３及び図４に図示される回転限定部材３４１、２６３は互いに結合され、接合部３１が前記組み立て部２６中で勝手に回転しなくなる。
【００１６】
前記水路軸管２３の横方向パイプ２５中には横方向タッチ部材２５１が設置され、前記横方向タッチ部材２５１はスプリング部材２５２により支持されて前記弁棒３６２の錐形端と互いに接触する原位置に保持される。押圧ユニット２２の押圧部材２２１により前記横方向タッチ部材２５１が制御されて前記原位置から押圧位置まで移動され、前記横方向タッチ部材２５１により前記弁棒３６２が押動されることで封止バルブ３６が下に向けて後退する（図６参照）。
【００１７】
図６に図示するように、下に向けて後退する前記封止バルブ３６により前記スプリング３５が圧縮され、且つ前記環状部３６３及び前記シールリング３７の密封関係が解除される。前記封止バルブ３６のピン継手部３６１の外壁と前記接合部３１のパイプ接合部３２の内壁との間には隙間３６４が存在し、水は水管を経由して前記パイプ接合部３２を通過させて前記直管部２４に進入する。図３及び図４に図示するように、前記弁棒３６２は錐形端を有する十字型シャフト部材であり、前記環状部３６３は凹凸のある円周面を有する環状構造である。このため、水は前記環状部３６３及び前記弁棒３６２をスムーズに通過させて前記直管部２４に進入し、前記水鉄砲の本体部２１から噴出される。
【００１８】
本考案は、封止バルブ３６及びスプリング３５が前記接合部３１の連接部３３中に組み合わせられ、前記接合部３１及び前記封止バルブ３６が組み合わせられて１つの複合式封止バルブジョイント３０となり、前記接合部３１が前記水路軸管２３の組み立て部２６に組み合わせられると同時に封止バルブ３６も水路軸管２３に設定される。換言すれば、本考案に係る封止バルブジョイント３０は、一回の装設動作で接合部３１及び封止バルブ３６が所定の位置にそれぞれ設定されるため、装設が簡単であり、工程が減少し、装設に掛かる時間も短縮される。また、本考案に係る封止バルブ３６の位置は、水路軸管２３の深部に設置されるのではなく、水路軸管２３の端部に位置されるため、設置、定位及び調整等が共に容易に実施できるようになり、装設の瑕疵が減少し、装設の精確性が増し、前記封止バルブ３６による前記水路軸管２３中の水流に対する開閉動作がスムーズになり、且つ反応性も優れる。
【００１９】
以上、本考案の実施形態について図面を参照して詳述したが、具体的な構成はこの実施形態に限られるものではなく、本考案の要旨を逸脱しない範囲の設計変更等も含まれる。
【符号の説明】
【００２０】
１０    水鉄砲
２６１  環状溝部
１１    ハンドル部
２６２  係合孔
１２    押圧ユニット
２６３  回転限定部材／溝部
１２１  横方向タッチ部材
２７    バックル部材
１２２  スプリング
２７１  凸部
１２３  押圧部材
３０    封止バルブジョイント
１３    水路
３１    接合部
１３１  弁
３２    パイプ接合部
１４    封止バルブ
３３    連接部
１４１  スプリング
３３１  段差
１４２  シャフト部材
３３２  充填空間
１４３  テーパ状部
３３３  係止溝
１５    管部材ジョイント
３４    延伸板
１６    本体
３４１  回転限定部材／凸部
２０    ハンドル部
３５    スプリング
２０１  外部ケース
３６    封止バルブ
２１    本体部
３６１  ピン継手部
２２    押圧ユニット
３６２  弁棒
２２１  押圧部材
３６３  環状部
２３    水路軸管
３６４  隙間
２４    直管部
３７    シールリング
２５    横方向パイプ
２５１  横方向タッチ部材
２５２  スプリング部材
２６    組み立て部
【図１】
0003205045.tif 000003
【図２】
0003205045.tif 000004
【図３】
0003205045.tif 000005
【図４】
0003205045.tif 000006
【図５】
0003205045.tif 000007
【図６】
0003205045.tif 000008